(57)【特許請求の範囲】
【請求項１】
連続するダンボールにおいて矩形状のシートが第一方向に沿って直線状に延在する折目のそれぞれにおいて前記折目の沿う平面で前記第一方向に直交する第二方向へ折り返され、前記第一方向および前記第二方向の双方に直交する第三方向に沿って前記シートが積み重ねられた蛇腹折りのダンボール材であって、
前記ダンボールを構成する少なくとも一部の資材どうしを前記ダンボールの連続する方向に継ぎ合わせて連続させる継手部と、
前記継手部の存在を識別させるマーキング部と、を備え、
前記マーキング部は、前記継手部に連設された状態で前記シートから延出するフラップ部を備えた
ことを特徴とするダンボール材。
【請求項２】
連続するダンボールにおいて矩形状のシートが第一方向に沿って直線状に延在する折目のそれぞれにおいて前記折目の沿う平面で前記第一方向に直交する第二方向へ折り返され、前記第一方向および前記第二方向の双方に直交する第三方向に沿って前記シートが積み重ねられた蛇腹折りのダンボール材であって、
前記ダンボールを構成する少なくとも一部の資材どうしを前記ダンボールの連続する方向に継ぎ合わせて連続させる継手部と、
前記継手部の存在を識別させるマーキング部と、を備え、
前記マーキング部は、前記継手部に対して取り外し自在に設けられたフラップ部を備えた
ことを特徴とするダンボール材。
【請求項３】
前記マーキング部は、前記継手部の存在を知覚させる色，図柄および質感の少なくとも一つが設定されたデザインを有する
ことを特徴とする請求項１または２に記載のダンボール材。
【請求項４】
前記マーキング部は、前記継手部の存在を知覚させる色が設定されたデザインを有し、前記デザインの前記色が前記シートの色に対して補色である
ことを特徴とする請求項１または２に記載のダンボール材。
【請求項５】
前記マーキング部は、前記継手部の存在を光学的に検知させる識別子を有する
ことを特徴とする請求項１〜４の何れか１項に記載のダンボール材。
【請求項６】
前記マーキング部は、金属材料を含有した
ことを特徴とする請求項１〜５の何れか１項に記載のダンボール材。
【請求項７】
前記第三方向の一側に設けられた複数の前記折目で前記一側に設けられた前記シートが連設された第一のダンボール材と前記第三方向の他側に設けられた複数の前記折目で前記他側に設けられた前記シートが連設された第二のダンボール材とに分割された状態で前記第一のダンボール材と前記第二のダンボール材とが不連続に設けられた分割構造を備え、
前記継手部は、前記第一のダンボール材において前記他側における第一の端縁と前記第二のダンボール材において前記一側における第二の端縁とを継ぎ合わせて前記分割構造で分割された状態の前記第一のダンボール材と前記第二のダンボール材とを連続させるシート継手部を有する
ことを特徴とする請求項１〜６の何れか１項に記載のダンボール材。
【請求項８】
前記シート継手部は、前記第一の端縁と前記第二の端縁とに跨がって前記第一の端縁および前記第二の端縁に貼り付けられるテープ部材を有する
ことを特徴とする請求項７に記載のダンボール材。
【請求項９】
前記シート継手部の表面は、前記シートの表面よりも大きな摩擦係数に設定された
ことを特徴とする請求項７または８に記載のダンボール材。
【請求項１０】
前記継手部は、前記ダンボールを構成する原紙どうしを継ぎ合わせて連続させる原紙継手部を有する
ことを特徴とする請求項１〜９の何れか１項に記載のダンボール材。
【請求項１１】
前記原紙継手部は、前記原紙の一つであるライナどうしを継ぎ合わせて連続させるライナ継手部を有する
ことを特徴とする請求項１０に記載のダンボール材。
【請求項１２】
前記原紙継手部は、前記原紙の一つである中芯どうしを継ぎ合わせて連続させる中芯継手部を有する
ことを特徴とする請求項１０または１１に記載のダンボール材。
【請求項１３】
前記マーキング部は、少なくとも一部が前記第一方向の端部に露出する
ことを特徴とする請求項１〜１２の何れか１項に記載のダンボール材。
【請求項１４】
前記マーキング部は、前記折目に設けられた
ことを特徴とする請求項１〜１３の何れか１項に記載のダンボール材。
【請求項１５】
前記継手部は、前記第二方向の中間部に配置され、前記継手部の設けられていない箇所の前記シートよりも大きい厚み寸法に設定された
ことを特徴とする請求項１〜１４の何れか１項に記載のダンボール材。
【請求項１６】
前記継手部は、前記第三方向の位置が異なる複数の箇所に配置された
ことを特徴とする請求項１〜１５の何れか１項に記載のダンボール材。
【発明の詳細な説明】
【技術分野】
【０００１】
本発明は、蛇腹折りのダンボール材に関する。
【背景技術】
【０００２】
製函用資材として、蛇腹折り（「ファンフォールド」とも称される）のダンボール材が知られている。ダンボール材には連続する矩形状のシート間に折目が設けられ、この折目でシートが交互に折り返されている。このような蛇腹折りのダンボール材では、連続するシートが上下に積み重ねられ、直方体状の荷姿に折り畳まれている。
上記のダンボール材は、包装対象のサイズに応じて最適な大きさの箱を製造する製函システム（「自動包装システム」，「三辺可変システム」，「三辺自動梱包」，「オンデマンド包装」などとも称される）の包装資材に用いられる。
【０００３】
このダンボール材において折目を介してシートが連続する枚数が多いほど、製函システムにダンボール材を補充する作業やこのダンボール材を製函システムの経路に沿って配置（いわゆる「紙通し」）する作業などを低減させることができ、生産性の向上に資する。
そこで、ダンボール材の連続する寸法を確保する技術が提案されている。たとえば、分離したシートどうしを継手部で継ぎ合わせて蛇腹折りのダンボール材を製造する技術が提案されている（特許文献１参照）。
【先行技術文献】
【特許文献】
【０００４】
【特許文献１】特開2019-38262号公報
【発明の概要】
【発明が解決しようとする課題】
【０００５】
ところで、上記のような継手部は、継ぎ合わせられた跡によって見栄えの低下を招くおそれがあり、他の部位に対して強度や剛性といった物性が異なるおそれもある。このような継手部を含む領域が製函されると、見栄えや精度の不十分な箱が製函されうる。そのため、製函される箱に要求された仕様や製函システムの諸元に応じて、箱に組み立てられる領域に継手部を含めるか否かが判断される。
よって、ダンボール材における継手部の識別性を確保するうえで改善の余地がある。
【０００６】
本件は、上記の課題に鑑みて創案されたものであり、ダンボール材における継手部の識別性を確保することを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００７】
ここで開示するダンボール材は、連続するダンボールにおいて矩形状のシートが第一方向に沿って直線状に延在する折目のそれぞれにおいて前記折目の沿う平面で前記第一方向に直交する第二方向へ折り返され、前記第一方向および前記第二方向の双方に直交する第三方向に沿って前記シートが積み重ねられた蛇腹折りのダンボール材である。
本ダンボール材は、前記ダンボールを構成する少なくとも一部の資材どうしを前記ダンボールの連続する方向に継ぎ合わせて連続させる継手部と、前記継手部の存在を識別させるマーキング部と、を備えている。前記マーキング部は、前記継手部に連設された状態で前記シートから延出するフラップ部を備えている。または、前記継手部に対して取り外し自在に設けられたフラップ部を備えている。
【発明の効果】
【０００８】
本件のダンボール材によれば、継手部の識別性を確保することができる。
【図面の簡単な説明】
【０００９】
【図１】蛇腹折りのダンボール材を示す斜視図である。
【図２】シート継手部を説明する斜視図である。
【図３】原紙継手部を説明する模式図である。
【図４】第一搬送物（搬送物）を示す斜視図である。
【図５】第二搬送物（搬送物）を示す分解斜視図である。
【００１０】
以下、実施形態としてのダンボール材および搬送物を説明する。
本実施形態のダンボール材は、連続するダンボールにおいて矩形状のシートが折り畳まれた蛇腹折りの製函用資材である。このダンボール材には、以下に列挙する種々のダンボールを採用することができる。
・両面ダンボール：中芯に対して両側にライナが設けられたダンボール
・片面ダンボール：中芯に対して片側にライナが設けられたダンボール
【００１１】
上記の両面ダンボールには、一つの中芯および二つのライナのそれぞれに対応する三つの原紙（資材）から構成されたシングルフルートのダンボールのほか、いわゆる「複両面ダンボール」や「複々両面ダンボール」のように三つ以上の中芯（一つ以上の中ライナを含む）および二つのライナのそれぞれに対応する五つ以上の原紙から構成されたマルチフルートのダンボールも含まれる。本実施形態では、シングルフルートの両面ダンボールからなるダンボール材を主に例示する。
【００１２】
ダンボール材が製函されると、ダンボール箱となる。詳細に言えば、製函システムの製函用資材に用いられたダンボール材は、シートが順繰りに送り出されるフィード工程，送り出されたシートが箱の展開パターンに切り抜かれるカット工程，箱の形状に折り立てられるフォールド工程といった種々の工程を経てダンボール箱に製函される。なお、ダンボール箱を組み立てる製函システムは、特に制限されないが、たとえば自動包装システムの全自動システムである「ＣＭＣ社製のカートンラップ１０００」，「Ｎｅｏｐｏｓｔ社製のＣＶＰ−５００」，「オーエスマシーナリー社製のＴＸＰ−６００」や、半自動システムの「Ｐａｃｋ  Ｓｉｚｅ社製のＥＭ７」，「Ｐａｎｏｔｅｃ社製のＣｏｍｐａｃｋ」を用いることができる。
【００１３】
本実施形態では、下記の方向Ｉ，ＩＩが以下の表１に示すように対応する例を挙げ、ダンボール材は水平面に載置されたものとする。
・方向 Ｉ ：水平面に載置されたダンボール材における方向
・方向ＩＩ：ダンボール材を製造する途中の半製品における方向
【００１４】
【表１】
0006699793.tif 000002
【００１５】
縦方向（第一方向，図中には「ＣＤ」と記す）および横方向（第二方向，図中には「ＭＤ」と記す）は水平に沿う方向であり、シート（折目）の沿う平面が延在する方向である。これらの縦方向と横方向とは互いに直交する。高さ方向（第三方向，図中には「ＴＤ」と記す）は、鉛直方向に沿う方向であり、縦方向および横方向の双方に直交する。この高さ方向は、シートが重ね合わせられる方向に対応する。
【００１６】
ＭＤ（Machine Direction）方向は、「流れ方向」とも称され、ダンボール材の製造過程が上流から下流へ進捗する方向である。ＣＤ（Cross Direction）方向は、ＭＤ方向の沿う平面においてＭＤ方向に直交する方向である。ＴＤ（Transverse Direction）方向は、ＭＤ方向およびＣＤ方向の双方に直交する方向である。
そのほか、特に断らない限り、本実施形態の「数値Ｘ〜数値Ｙ」なる表現は、数値Ｘ以上であって数値Ｙ以下の範囲を意味する。
【００１７】
上記のダンボール材が製函用資材として製造されると、製函システムに搬送される。このように搬送される物が本実施形態の搬送物である。この搬送物には、ダンボール材の搬送性を確保するため、下記のパレットおよびカバー部材も含まれている。
・ パレット ：ダンボール材の載置された荷役台
・カバー部材：ダンボール材を被覆する部材
【００１８】
［Ｉ．一実施形態］
下記の一実施形態では、ダンボール材および搬送物の構成を項目［１］で述べ、項目［１］の構成による作用および効果を項目［２］で述べる。
［１．構成］
本項目［１］では、ダンボール材の基本的な構成を小項目［１−１］で述べ、ダンボール材の継ぎ合わせに関する構成を小項目［１−２］で詳述する。その後、ダンボール材を含む搬送物のうち主にパレットやカバー部材の構成を小項目［１−３］で述べる。
【００１９】
［１−１．ダンボール材の基本］
本項目［１−１］では、ダンボール材が折り畳まれた構造（以下「折畳構造」と称する）を説明し、その後にダンボール材の基本的なパラメータを説明する。
＜折畳構造＞
図１に示すように、ダンボール材１は、直方体状をなす製函用資材である。
このダンボール材１は、載置された状態において、以下に示す二種の面部１Ｓ，１Ｔが外部に向いた面状の部位をなす。これらの面部１Ｓ，１Ｔは、開口を下向きにしたガゼット袋に沿った向きに延在する。
・筒面部１Ｓ：高さ方向に沿って延在する面部
・頂面部１Ｔ：縦方向および横方向の双方に沿って上部（高さ方向の一側）に延在す
る面部
【００２０】
ダンボール材１では、連続する矩形状のシート２（図１では一部のみに符合を付す）が折目Ｆ（図１では一部のみに符合を付す）で折り返され、折り返されたシート２が高さ方向に積み重ねられている。
このように折り畳まれたダンボール材１には、筒面部１Ｓのうち縦方向および高さ方向の双方に沿う一対の側面に、複数の折目Ｆが縦方向に沿って直線状に延在する。
【００２１】
ここで、連続する三つのシート２（図１では二点鎖線で示す）に着目して、ダンボール材１の折畳構造を説明する。
・第一シート２１：第二シート２２の一側に連続するシート２
・第二シート２２：第一シート２１と第三シート２３との双方に連続するシート２
・第三シート２３：第二シート２２の他側に連続するシート２
【００２２】
第一シート２１と第二シート２２との間に第一折目ＦＩが設けられ、第一折目ＦＩを介してシート２１，２２が連続している。第二シート２２と第三シート２３との間に第二折目ＦＩＩが設けられ、第二折目ＦＩＩを介してシート２２，２３が連続している。
第一折目ＦＩは、第一シート２１に対して横方向の一方（図１では右方）へ向けて第二シート２２が折り返される折目Ｆであり、ダンボール材１における横方向の他方（図１では左方）に配置される。第二折目ＦＩＩは、第二シート２２に対して横方向の他方（図１では左方）へ向けて第三シート２３が折り返される折目Ｆであり、ダンボール材１における横方向の一方（図１では右方）に配置される。
【００２３】
第一シート２１では、横方向（折目Ｆと交差する方向）に延在する第一端縁Ｅ1（図１には手前側の端縁のみに符号を付す）にダンボールの波目１０が露出する。同様に、第二シート２２には、横方向（折目Ｆと交差する方向）に延在する第二端縁Ｅ2（図１には手前側の端縁のみに符号を付す）にダンボールの波目１０が露出する。
第一シート２１および第二シート２２からなるシート対２０では、第一端縁Ｅ1と第二端縁Ｅ2とが高さ方向に隣り合って配置される。
【００２４】
上記の折畳構造を有するダンボール材１によれば、ロール状に巻回することの困難な資材であっても直方体状に折り畳むことができる。すなわち、ロール状に巻回可能な資材よりも高い強度をもつダンボールのシート２をコンパクトな荷姿にすることができる。このように強度の確保されたシート２が折り畳まれたダンボール材１は、強度の要求される箱を製造する製函システムの包装資材に用いて好適である。
そのほか、折目Ｆは、ダンボールの波目１０に沿って設けられている。言い換えれば、ＭＤ方向に対して垂直な波目１０のダンボール材１が製造される。
【００２５】
＜基本的なパラメータ＞
本項目では、ダンボール材１のサイズ，シート２の厚み寸法などの基本的なパラメータを述べる。
――サイズ――
ダンボール材１のサイズは、下記の寸法Ｌ１〜Ｌ３から定まる。
・ 縦寸法Ｌ１ ：縦方向の寸法（第一寸法）
・ 横寸法Ｌ２ ：横方向の寸法（第二寸法）
・高さ寸法Ｌ３：高さ方向の寸法（第三寸法）
上記の寸法Ｌ１〜Ｌ３は、小さいほど製造される箱のサイズや形状の制約が大きくなるおそれがあり、大きいほど運搬や納入といった作業性が低下するおそれがある。これらの観点より、寸法Ｌ１〜Ｌ３は、下記の表２に示す範囲であることが好ましい。
【００２６】
【表２】
0006699793.tif 000003
【００２７】
――厚み寸法――
ダンボール材１におけるシート２には、厚み寸法が５［ｍｍ］のＡフルート，厚み寸法が３［ｍｍ］のＢフルート，厚み寸法が４［ｍｍ］のＣフルート，任意の２種類のフルートを組み合わせたダブルフルート（厚み寸法は６〜１０［ｍｍ］）といったさまざまな規格の厚み寸法を採用することができ、規格化されていない厚み寸法を採用してもよい。
【００２８】
厚み寸法が大きいほど、緩衝性が向上する傾向にあるものの、シート２の強度によっては潰れやすい傾向もある。これらの傾向を考慮して、ダンボール材１のシート２に用いられる厚み寸法は、１［ｍｍ］〜１０［ｍｍ］であることが好ましく、３［ｍｍ］〜８［ｍｍ］であることがより好ましい。
【００２９】
――その他――
そのほか、ダンボール材１における折目Ｆの本数をＮ［本］とおけば、シート２の枚数はＮ＋１［枚］である。この場合には、Ｎ＋１［段］のシート２がダンボール材１において重ね合わせられている。
更に言えば、一枚のシート２に対応する一段あたりの高さ寸法は、ダンボール材１の高さ寸法Ｌ３をシート２の段数Ｎ＋１で除算することで算出可能である。このようにして算出された一段あたりの高さ寸法は、ダンボール材１におけるシート２の厚み寸法に対応する。
【００３０】
たとえば、ダンボール材１の段数としては、たとえば１０〜１０００［段］のさまざまな段数が挙げられる。
上記のような高さ寸法Ｌ３と段数との関係より、ダンボール材１における折目Ｆの本数Ｎに設定される好ましい範囲を算出することができる。具体的に言えば、シート２の厚み寸法で好ましい範囲の高さ寸法Ｌ３を除算した値から「１」を減算した値の範囲は、折目Ｆの本数Ｎに設定される好ましい範囲として近似することができる。
【００３１】
なお、ダンボール材１に用いられるシート２には、任意の坪量を設定することができる。シート２に採用される坪量の範囲としては、５０〜１５００［ｇ／ｍ2］の範囲が挙げられ、好ましくは１００〜１０００［ｇ／ｍ2］の範囲が挙げられ、より好ましくは２００〜８００［ｇ／ｍ2］の範囲が挙げられ、さらに好ましくは２００〜６００［ｇ／ｍ２］の範囲が挙げられる。
上記の坪量に、縦寸法Ｌ１および横寸法Ｌ２とシート２の段数Ｎ＋１とを乗算すれば、ダンボール材１の重量が算出される。
【００３２】
［１−２．ダンボール材の詳細］
本実施形態のダンボール材１には、ダンボール材１の連続する寸法を確保するために、構成資材（ダンボールを構成する少なくとも一部の資材）どうしを継ぎ合わせて連続させる継手部が設けられている。継手部によって、シート２やシート２を構成する各種の原紙といった構成資材どうしがダンボールの連続する方向に継ぎ合わせられている。
このダンボール材１には、継手部の存在を識別させるマーキング部も配備されている。
【００３３】
本項目では、以下に示す二種の継手部を例に挙げて説明する
・シート継手部：分割された状態のダンボール材１どうしを継ぎ合わせる継手部
・ 原紙継手部 ：ダンボールを構成する原紙どうしを継ぎ合わせる継手部
以下、シート継手部，原紙継手部の順に説明し、その後に継手部に付設されたマーキング部を説明する。
【００３４】
＜シート継手部＞
図２に示すように、シート継手部３は、ダンボール材１が分割された構造（以下「分割構造」と称する）Ｄを前提とし、分割構造Ｄで分割された不連続な部材のシート２どうしを継ぎ合わせて連続させている。
分割構造Ｄによって、ダンボール材１が第一のダンボール材１１と第二のダンボール材１２との別部材に分割され、ダンボール材１１，１２どうしが不連続に設けられている。これらのダンボール材１１，１２を資材としてダンボール材１が構成されている。
【００３５】
第一のダンボール材１１は、ダンボール材１において上側（第三方向の一側）に設けられた複数の折目Ｆで、ダンボール材１において上側に設けられたシート２が連設されている。反対に、第二のダンボール材１１は、ダンボール材１において下側（第三方向の他側）に設けられた複数の折目Ｆで、ダンボール材１において下側に設けられたシート２が連設されている。
第一のダンボール材１１における下側には、縦方向に延在する第一の端縁１Ｅが設けられている。また、第二のダンボール材１２における上側には、縦方向に延在する第二の端縁２Ｅが設けられている。これらの端縁１Ｅ，２Ｅは、隣接あるいは対向して配置されている。
【００３６】
端縁１Ｅ，２Ｅの配置箇所は、図２に例示するようにダンボール材１において横方向の中間部に限らず、横方向の端部（すなわち折目Ｆの箇所）であってもよい。この場合には端縁１Ｅ，２Ｅの配置箇所に応じて、ダンボール材１における横方向の中間部や横方向の端部にシート継手部３が配置される。
また、ダンボール材１が分割構造Ｄによって三つ以上のダンボール材に分割されていてもよい。この場合には、分割構造Ｄによる分割数に応じた複数の箇所に端縁１Ｅ，２Ｅが設けられ、高さ方向の異なる複数の箇所にシート継手部３が設けられる。
【００３７】
ここで例示するシート継手部３には、端縁１Ｅ，２Ｅに跨がって端縁１Ｅ，２Ｅの双方に貼り付けられたテープ部材が設けられている。このテープ部材は、縦方向に沿って延在し、端縁１Ｅ，２Ｅの周囲に対して少なくとも一部に貼り付けられる。
シート継手部３のテープ部材が貼り付けられる手順の一例としては、下記の手順Ａ１，Ａ２が挙げられる。
・手順Ａ１：テープ部材の長手方向中間部を端縁１Ｅ，２Ｅに対して上側および下側
の一方において全領域に貼り付ける
・手順Ａ２：手順Ａ１の後に端縁１Ｅ，２Ｅから縦方向に延出する長手方向端部を折
り返して端縁１Ｅ，２Ｅに対して上側および下側の他方に貼り付ける
【００３８】
さらに、シート継手部３の表面（ひょうめん）は、シート２の表面（ひょうめん）よりも大きな摩擦係数に設定されている。このような摩擦係数の大小は、以下に例を挙げる手法ａ，ｂ，ｃ，ｄによって設定可能である。
・手法ａ：シート継手部３に用いられるテープ部材を選定する手法
・手法ｂ：シート継手部３に用いられるテープ部材の表面を加工する手法
・手法ｃ：シート２に用いられるライナを選定する手法
・手法ｄ：シート２のライナに対して表面を加工する手法
【００３９】
上記のようにシート継手部３に用いられたテープ部材で継ぎ合わせられる端縁１Ｅ，２Ｅが厚み方向（すなわち高さ方向）に圧縮されていなければ、テープ部材に厚みが存在することから、シート２よりもテープ部材の厚み分だけシート継手部３の厚み寸法が大きい。すなわち、シート継手部３の設けられていない箇所のシート２よりもシート継手部３のほうが厚み寸法が大きい。ただし、端縁１Ｅ，２Ｅが厚み方向に圧縮されていれば、端縁１Ｅ，２Ｅの圧縮度合いによってはシート２よりもシート継手部３の厚み寸法が小さくなりうる。
【００４０】
＜原紙継手部＞
図３に示すように、原紙継手部４は、ダンボール材１のシート２が複数の原紙９から構成された構造を前提とし、ダンボール材１の連続する方向（ＭＤ方向に対応する方向）に原紙９の少なくとも一部どうしを継ぎ合わせている。
原紙９には、表ライナ９ａおよび裏ライナ９ｂならびに中芯９ｃが含まれ、ライナ９ａ，９ｂの間には中芯９ｃが介装されている。中芯９ｃは、縦方向から視て波形に形成されており、波形の山部が表ライナ９ａに接着され、波形の谷部が裏ライナ９ｂに接着されている。中芯９ｃと接着されたライナ９ａ，９ｂは、折目Ｆの箇所を除いて平面状に設けられている。
【００４１】
ここでは、以下に列挙する三種を原紙継手部４の例に挙げる。
・表ライナ継手部４Ａ：表ライナ９ａどうしを継ぎ合わせる原紙継手部４
・裏ライナ継手部４Ｂ：裏ライナ９ｂどうしを継ぎ合わせる原紙継手部４
・  中芯継手部４Ｃ  ：中芯９ｃどうしを継ぎ合わせる原紙継手部４
【００４２】
上記の継手部４Ａ，４Ｂ，４Ｃでは、継ぎ合わせられる原紙９どうしが重ね合わせられて貼り合せられている。このような原紙９どうしの継ぎ合わせは、ダンボール材１が製造される過程（すなわちダンボールの製造途中）において実施される。
上記の貼り合せには、「名称：ボンドテープ、品番：ＷＦ８３３（コニシ株式会社）」や「名称：クラフト粘着テープ、品番：ＫＳ−ＮＯ．１１１−ＢＫ５０Ｐ、幅４０ｍｍ（菊水テープ株式会社）」といったテープを用いることができる。
【００４３】
なお、ライナ継手部４Ａ，４Ｂでは、ライナ９ａ，９ｂの重ね合わせられた分だけライナ継手部４Ａ，４Ｂやシート継手部３の設けられていないシート２よりも厚み寸法がやや大きい。
継手部４Ａ，４Ｂ，４Ｃのそれぞれは、ダンボール材１において一箇所に配置されるのに限らず複数の箇所に配置されてもよい。継手部４Ａ，４Ｂ，４Ｃのそれぞれが複数の場合、継手部４Ａ，４Ｂ，４Ｃのそれぞれは、ダンボール材１において横方向の中間部や端部といった種々の箇所に配置されていてもよく、高さ方向の異なる箇所に配置されていてもよい。
【００４４】
＜マーキング部＞
つぎに、上記のシート継手部３あるいは原紙継手部４に設けられたマーキング部を説明する。
以下の説明では、図２を参照して、シート継手部３にマーキング部５が付設された例を挙げ、マーキング部５に用いられる六つの態様を例示する。下記の六態様は、何れか一つの態様がマーキング部５に用いられてもよいし、複数の態様がマーキング部５に併用されてもよい。これら六態様のマーキング部５は、シート継手部３に限らず原紙継手部４にも適用することができる。
【００４５】
――第一態様――
第一態様のマーキング部５には、シート継手部３の存在を知覚させるデザインが用いられている。
ここでいう「デザイン」とは、シート継手部３の存在を知覚させる色，図柄および質感の少なくとも一つが設定されたものである。デザインを構成する色，図柄，質感は、シート継手部３の識別性を高める観点から、シート継手部３の周辺の色，図柄，質感と異なるほど好ましい。
【００４６】
マーキング部５に用いられるデザインの一例としては、シート継手部３に用いられるテープ部材の色にシート２とは異なる色を採用した形態が挙げられる。マーキング部５の識別性を高める観点からは、シート２の色に対して色相環の遠い色（好ましくはシート２の色の補色）をテープ部材に採用することが好ましい。
そのほか、シート継手部３のテープ部材に図柄が付されていれば、図柄の設定されたデザインがマーキング部５に用いられる。シート継手部３のテープ部材がシート２とは異なる質感であれば、質感の設定されたデザインがマーキング部５に用いられる。
【００４７】
――第二態様――
第二態様のマーキング部５には、シート継手部３の存在を光学的に検知させる識別子が用いられている。
ここでいう「識別子」は、少なくとも光学的なセンサ（装置）によって検知可能なものであればよく、オペレータ（作業員）によって視認可能なものに限定されず、オペレータによって視認不能なものであってもよい。識別子としては、バーコードや記号などが挙げられる。
マーキング部５に用いられる識別子の一例としては、シート継手部３に用いられるテープ部材にバーコードの印刷された形態が挙げられる。
【００４８】
――第三態様――
第三態様のマーキング部５には、金属材料が含有されている。
ここでいう「金属材料」は、少なくとも金属材料を検知するセンサ（装置）によって検知可能な形態でマーキング部５に含有されていればよく、オペレータによる知覚の可否や光学的なセンサによる検知の可否は不問である。金属材料に例としては、アルミニウム，アルミガラス，ステンレス，鉛，銅といった種々の材料が挙げられる。耐熱性や耐久性を確保する観点からは、アルミ系の金属材料をマーキング部５に用いることが好ましい。
マーキング部５に金属材料が含有された一例としては、シート継手部３に用いられるテープ部材にアルミ系のテープを使用した形態が挙げられる。
【００４９】
――第四態様――
第四態様のマーキング部５は、ダンボール材１において縦方向の端部に露出して設けられている。このマーキング部５は、視認可能であれば、ダンボール材１を縦方向から視たときの外観の一部をなす。
上記のように露出するマーキング部５の一例としては、シート継手部３に用いられるテープ部材の一部がシート２における縦方向の端面（段目の露出する面）を縦方向の外側から覆うように配置された形態が挙げられる。
【００５０】
このマーキング部５には、図２に二点鎖線で示すように、シート継手部３に連設された状態でシート２から延出するフラップ部５ｆが設けられている。
上記のように延出するフラップ部５ｆの一例としては、シート継手部３に用いられるテープ部材の一部どうしがシート２に対して縦方向の外側で貼り合せられた形態が挙げられる。
【００５１】
――第五態様――
第五態様のマーキング部５は、フラップ部５ｆがシート継手部３に対して取り外し自在に設けられている。
このように取り外し自在なフラップ部５ｆの一例としては、付箋のように貼付だけでなく剥離も可能なシート片がシート継手部３のテープ部材に対して取り付けられた形態が挙げられる。
また、ダンボール材１においてシート２に対して固定されていない挟装片がシート２に挟まれた形態も取り外し自在なフラップ部５ｆの例に挙げられる。ダンボール材１のシート２を書籍の頁に準えれば、挟装片は栞に準えられる。
【００５２】
――第六態様――
第六態様のマーキング部５は、ダンボール材１の折目Ｆに設けられている。言い換えれば、ダンボール材１において横方向の端部にマーキング部５が露出して設けられている。このマーキング部５は、視認可能であれば、ダンボール材１を横方向から視たときの外観の一部をなす。このような折目Ｆのマーキング部５は、ダンボール材１において横方向の端部に配置されたシート継手部３に付設される。
【００５３】
［１−３．搬送物］
本実施形態では、上記のダンボール材１を含む搬送物として、カバー部材で被覆される領域の異なる第一搬送物および第二搬送物の二種を例に挙げて説明する。なお、第一搬送物および第二搬送物は、被覆される領域が相違する点を除いて同様に構成されている。具体的には、第一搬送物および第二搬送物に用いられるダンボール材１のほかパレットが共通している。
以下、第一搬送物および第二搬送物に共通して用いられるパレットを説明し、その後に第一搬送物，第二搬送物のそれぞれに特有の構成を説明する。
【００５４】
＜パレット＞
図４，図５に示すように、パレットＰは、ダンボール材１の積み込みや荷下ろしといった搬送に関する荷役作業の向上を図る部材であり、ダンボール材１に対して下側（高さ方向の他側）に配置されている。
このパレットＰは、高さ方向の領域によって、下側の本体部ＰＬと上側の上体部ＰＵとに大別される。これらの本体部ＰＬおよび上体部ＰＵは一体に形成されている。
【００５５】
本体部ＰＬおよび上体部ＰＵには、フォークリフトによる荷役作業用に、フォークリフトのフォークが挿抜される一対の空間Ｓが設けられている。ここでは、以下に示す三種の空間Ｓが設けられたパレットＰを例説する。
・第一下部空間Ｓ１：本体部ＰＬで縦方向に貫通する空間Ｓ
・第二下部空間Ｓ２：本体部ＰＬで横方向に貫通する空間Ｓ
・    溝部Ｓ３    ：上体部ＰＵで縦方向に延在する空間Ｓ
【００５６】
本体部ＰＬは、上記のように二種の下部空間Ｓ１，Ｓ２が設けられており、いわゆる「両面式四方差しパレット」に対応した形状をなす部位である。
上体部ＰＵは、上記のように溝部Ｓ３が設けられており、いわゆる「単面式二方差しパレット」のデッキボードが下側に配置された形状をなす部位である。
溝部Ｓ３のそれぞれは、本体部ＰＬに対してダンボール材１側に設けられた一対（複数）の突条Ｒどうしの間に設けられている。言い換えれば、縦方向に延在する突条Ｒが溝部Ｓ３を介して横方向に離間して並設されている。これらの突条Ｒにおける上面ＲＵにダンボール材１が載置される。
【００５７】
なお、図４，図５に例示する向きに限らず、少なくとも高さ方向に直交する方向に空間Ｓが延在していてもよい。
上記のように設けられたパレットＰには、つぎに説明する搬送物Ｃ１，Ｃ２のダンボール材１が載置されている。ここで説明する搬送物Ｃ１，Ｃ２は、パレットＰに対して縦方向および横方向の少なくとも何れかの方向（第三方向と直交する方向）に延出した状態のダンボール材１が載置されている。このようにパレットＰからはみ出したダンボール材１は、上面視でパレットＰの領域に収まるダンボール材と比較すれば、荷崩れしやすい不安定な状態と言える。
【００５８】
＜第一搬送物＞
図４に示すように、第一搬送物Ｃ１は、ダンボール材１の筒面部１Ｓのみがカバー部材Ｆ１（第一カバー部材）で被覆されている。なお、カバー部材Ｆ1は、パレットＰに載置される前のダンボール材１（ダンボール材１単体）を被覆してもよいし、パレットＰに載置された後のダンボール材１を被覆してもよい。パレットＰに載置されたダンボール材１に対するカバー部材Ｆ１の被覆態様は、ダンボール材１の筒面部１Ｓのみを被覆する態様であってもよいし、筒面部１Ｓに加えてパレットＰを巻き込んで被覆する態様であってもよい。パレットＰも巻き込んで被覆するカバー部材Ｆ１によれば、搬送時の衝撃などでダンボール材１がよりズレにくく、搬送性が向上する。
カバー部材Ｆ１は、その基本的な機能であるところのダンボール材１を保護する機能（すなわち「保護性」）を担う。詳細に言えば、ダンボール材１の防水性，防塵性といったダンボール材１に対する汚損を防ぐ機能（すなわち「防汚性」）をカバー部材Ｆ１が担い、ダンボール材１の荷崩れを防ぐ機能もカバー部材Ｆ１が担う。
【００５９】
このカバー部材Ｆ１には、透明または半透明の部材が用いられている。
具体的には、透明のストレッチフィルムがカバー部材Ｆ１に用いられている。ストレッチフィルムとは、他種のフィルムと比較して伸張性に長けたフィルムであり、たとえばポリエチレン樹脂から製造される。さらに、ストレッチフィルムは、自己粘着性を有し、引き裂きやすい性質（いわゆる「易引き裂き性」）も有する。このストレッチフィルムには、「Super Telite Slim（司化成製）」を用いることができる。
【００６０】
ここで説明するカバー部材Ｆ１は、ダンボール材１の高さ寸法Ｌ３（図１参照）よりも小さい巾寸法の帯状体である。このような帯状に連続するカバー部材Ｆ１は、ダンボール材１に対して筒面部１Ｓの周囲（第三方向に交差する方向）から巻回された状態をなし、筒面部１Ｓに対して圧着した状態をなす。
詳細に言えば、カバー部材Ｆ１は、少なくとも一部が重ね合わせられた状態で筒面部１Ｓに対して巻回されている。平たく言えば、ダンボール材１の筒面部１Ｓに対してカバー部材Ｆ１がぐるぐる巻きにされている。
【００６１】
上記のカバー部材Ｆ１によってダンボール材１の筒面部１Ｓは被覆されるものの、頂面部１Ｔはカバー部材Ｆ１で被覆されておらず露出している。
このように筒面部１Ｓのみがカバー部材Ｆ１で被覆された第一搬送物Ｃ１に対し、つぎに説明する第二搬送物Ｃ２は頂面部１Ｔも被覆されている。
【００６２】
＜第二搬送物＞
図５に示すように、第二搬送物Ｃ２は、ダンボール材１の筒面部１Ｓおよび頂面部１Ｔがカバー部材Ｆ２（第二カバー部材）で被覆されている。
カバー部材Ｆ２には、上述した第一搬送物Ｃ１のカバー部材Ｆ１と同様に、透明あるいは半透明のストレッチフィルムが用いられている。
【００６３】
一方、カバー部材Ｆ２には、上述のカバー部材Ｆ１のように平面状をなす形態ではなく立体状の形態が採用されている。具体的には、ダンボール材１の筒面部１Ｓおよび頂面部１Ｔのそれぞれに対応する面状の部位が設けられた有底の四角筒状に予め形成されたガゼット体がカバー部材Ｆ２に用いられる。
このガゼット体は、ダンボール材１のなす直方体と相似形状に設定されている。詳細に言えば、カバー部材Ｆ２に用いられるガゼット体は、内部にダンボール材１を収容可能な大きさに伸長可能であって、自然状態（非伸長状態）ではダンボール材１のなす直方体よりも小さいサイズに設定されている。
【００６４】
上記のようにカバー部材Ｆ２の形状およびサイズが設定されるため、下記の手順Ｂ１，Ｂ２でダンボール材１に対してカバー部材Ｆ２を装着すれば、筒面部１Ｓおよび頂面部１Ｔに対して密着した状態のカバー部材Ｆ２でダンボール材１が被覆される。
・手順Ｂ１：ダンボール材１に対して伸長状態のカバー部材Ｆ２を被せる
・手順Ｂ２：手順Ｂ１の後にカバー部材Ｆ２の伸長状態を解除する
【００６５】
［２．作用および効果］
本実施形態は、上述のように構成されるため、下記のような作用および効果を得ることができる。
本項目［２］では、小項目［２−１］でダンボール材１の継ぎ合わせに関して述べ、小項目［２−２］で搬送物Ｃ１，Ｃ２について述べる。
【００６６】
［２−１．ダンボール材］
本項目では、マーキング部５による作用および効果を述べ、その後に継手部３，４による作用および効果を述べる。
＜マーキング部＞
ところで、ダンボール材において構成資材どうしを継ぎ合わせて連続させる継手部は、継ぎ合わせられた跡によって見栄えの低下を招くおそれがあり、他の部位に対して強度や剛性といった物性が異なるおそれもある。このような継手部を含む領域が製函されると、見栄えや精度の不十分な箱が製函されうる。そのため、製函される箱に要求された仕様や製函システムの諸元に応じて、箱に組み立てられる領域に継手部を含めるか否かが判断される。
よって、ダンボール材における継手部の識別性を確保するうえで改善の余地がある。
【００６７】
（１）これに対し、本実施形態のダンボール材１によれば、継手部３，４の存在を識別させるマーキング部５が設けられているため、継手部３，４の識別性を確保することができる。
（２）継手部３，４の存在を知覚させる色，図柄および質感の少なくとも一つが設定されたデザインのマーキング部５によれば、ダンボール材１のオペレータにマーキング部５を視覚的あるいは触覚的に認識させて継手部３，４の存在を知覚させることができる。この点からも、継手部３，４の識別性を確保することができる。
【００６８】
（３）継手部３，４の存在を光学的に検知させる識別子が設けられたマーキング部５によれば、光学的なセンサによってマーキング部５を検知することで継手部３，４の存在も検知することができる。また、マーキング部５に金属材料が含有されていれば、金属材料を検知するセンサによってマーキング部５を検知することで継手部３，４の存在も検知することができる。
さらに、視認不能な識別子や視認不能な状態で含有された金属材料がマーキング部５に用いられていれば、ダンボール材１の外観を確保するのに寄与する。
【００６９】
（４）ダンボール材１において縦方向の端部に露出したマーキング部５によれば、ダンボール材１に対して縦方向の外側からマーキング部５を識別しやすくすることができる。このマーキング部５が視認可能であれば、ダンボール材１に対して縦方向の外側からオペレータが継手部３，４の位置を識別することができる。このマーキング部５が視認不能であっても、ダンボール材１に対して縦方向の外側からセンサによって継手部３，４の位置を識別することができ、このセンサの識別精度を確保することもできる。
【００７０】
（５）継手部３，４に連設された状態でシート２から延出するフラップ部５ｆが設けられたマーキング部５によれば、マーキング部５を顕在させることができ、継手部３，４の識別性を向上させることができる。
（６）フラップ部５ｆが継手部３，４に対して取り外し自在に設けられたマーキング部５によれば、このフラップ部５ｆによって継手部３，４の存在が識別された後に、フラップ部５ｆを容易に取り外すことができる。そのため、製函システムへのフラップ部５ｆの進入を回避することができる。よって、継手部３，４の識別性を確保しつつ製函システムの不具合を抑えることもできる。
【００７１】
（７）ダンボール材１の折目Ｆに設けられたマーキング部５によれば、ダンボール材１に対して横方向の外側からマーキング部５を識別しやすくすることができる。このマーキング部５が視認可能であれば、ダンボール材１に対して横方向の外側からオペレータが継手部３，４の位置を識別することができる。このマーキング部５が視認不能であっても、ダンボール材１に対して横方向の外側からセンサによって継手部３，４の位置を識別することができ、このセンサの識別精度を確保することもできる。
【００７２】
＜継手部＞
（１）分割された状態のダンボール材１１，１２どうしを継ぎ合わせて連続させるシート継手部３によれば、各ダンボール材１１，１２で連続する寸法を足し合わせた寸法にダンボール材１の連続する寸法を伸ばすことができる。このシート継手部３にはテープ部材が用いられていることから、ダンボール材１１，１２の端縁１Ｅ，２Ｅどうしを簡易な構成で容易に継ぎ合わせることができる。
【００７３】
また、ダンボール材１の連続する方向に原紙９の少なくとも一部どうしを継ぎ合わせる原紙継手部４によれば、ダンボール材１として製造される平面状のダンボールが連続する寸法を伸ばすことができる。言い換えれば、半製品のダンボールの連続する寸法が原紙切れによって制限されるのを回避することができる。具体的には、ライナ継手部４Ａ，４Ｂによってライナ用原紙の寸法制限を回避することができ、中芯継手部４Ｃによって中芯用原紙の寸法制限を回避することができる。
【００７４】
これらの継手部３，４が高さ方向の異なる複数の箇所に配置されていれば、ダンボール材１の連続する寸法を更に伸ばすことができる。
上記のようにしてダンボール材１の連続する寸法が確保されることにより、製函システムにダンボール材を補充する作業やこのダンボール材を製函システムの経路に沿って配置する作業などを低減させることができ、生産性を向上させることができる。
【００７５】
（２）シート継手部３の表面がシート２の表面よりも大きな摩擦係数に設定されていることから、シート継手部３の表面と接触するシート２の表面との摩擦力が確保される。よって、ダンボール材１の安定性を高めるのに寄与し、ダンボール材１の荷崩れを抑えるのに資する。
（３）横方向の中間部に配置された継手部３，４のほうが継手部３，４を除いた箇所のシート２よりも厚み寸法が大きければ、ダンボール材１において横方向の中間部がたわんだり凹んだりするのを抑えることができる。延いては、シート２の折れや割れの発生も抑えることができる。
【００７６】
［２−２．搬送物］
本項目では、カバー部材Ｆ１，Ｆ２による作用および効果を述べ、その後にパレットＰによる作用および効果を述べる。
＜カバー部材＞
ところで、ダンボール材のみを搬送する場合には、ダンボール材に搬送用のとっかかりが乏しいため、ダンボール材だけの搬送は困難である。仮にダンボール材だけを搬送したとしても、搬送時の振動あるいは衝撃によってダンボール材の荷崩れを招くおそれがあり、ダンボール材を安定して搬送するのは困難である。
さらに、蛇腹折りされたダンボール材は折目を介して連続しているため、枚葉状のシートが積層されたダンボール材と比べ、折目の位置する面状の部位をはじめとした端面部のズレの調整が困難である。端面部がズレたままで搬送されるダンボール材は不安定であるり、搬送時の振動あるいは衝撃によってダンボール材の荷崩れを招くおそれがある。
よって、ダンボール材の搬送性を確保するうえで改善の余地がある。
【００７７】
（１）これに対し、本実施形態の搬送物Ｃ１，Ｃ２によれば、ダンボール材１がパレットＰに載置されることから、パレットＰを介してダンボール材１の積み込みや荷下ろしといった搬送に関する荷役作業の効率を確保することができる。そのうえ、ダンボール材１の筒面部１Ｓがカバー部材Ｆ１，Ｆ２で被覆されることから、少なくとも筒面部１Ｓをカバー部材Ｆ１，Ｆ２で保護することができ、シート２（上記の端面部）のズレを抑えてダンボール材１の荷崩れも抑えられる。
このようにして、ダンボール材１の保護性および安全性を両立したうえで荷役作業の効率が確保されることで、搬送物Ｃ１，Ｃ２の搬送性を確保することができる。
【００７８】
（２）第一搬送物Ｃ１によれば、ダンボール材１に対して筒面部１Ｓの周囲からカバー部材Ｆ１が巻回された状態をなすことから、オペレータの手作業によってカバー部材Ｆ１でダンボール材１を被覆することができる。そのため、ダンボール材１をカバー部材Ｆ１で被覆するラッピング装置を用意することなく第一搬送物Ｃ１を扱うことができる。
このカバー部材Ｆ１は、少なくとも一部が重ね合わせられた状態で筒面部１Ｓに対して巻回されていることから、ダンボール材１の保護性や安定性を高めることができる。
【００７９】
（３）第二搬送物Ｃ２によれば、ダンボール材１の筒面部１Ｓだけでなく頂面部１Ｔもカバー部材Ｆ２で被覆されることから、頂面部１Ｔも保護することができる。
このカバー部材Ｆ２には、ダンボール材１の筒面部１Ｓおよび頂面部１Ｔのそれぞれに対応する面状の部位が設けられた有底の四角筒状に予め形成されたガゼット体が用いられる。このことから、手順Ｂ１，Ｂ２で述べたようにダンボール材１に対して上からカバー部材Ｆ２を覆い被せるだけでダンボール材１をカバー部材Ｆ２で被覆することができ、被覆作業の効率を高めることができる。
【００８０】
（４）カバー部材Ｆ１，Ｆ２が透明あるいは半透明であることから、カバー部材Ｆ１，Ｆ２で被覆されたダンボール材１を視認することができ、ダンボール材１の品質管理に資する。
（５）カバー部材Ｆ１，Ｆ２にストレッチフィルムが用いられていることから、伸長した状態でカバー部材Ｆ１，Ｆ２をダンボール材１に巻回したり覆い被せたりすることで、カバー部材Ｆ１，Ｆ２をダンボール材１に密着させることができる。この点からも、ダンボール材１の保護性や安全性を高めるのに寄与する。
【００８１】
＜パレット＞
（１）パレットＰには、突条Ｒどうしの間に溝部Ｓ３が設けられていることから、溝部Ｓ３に差し込まれたフォークリフトのフォークでダンボール材１およびカバー部材Ｆ１，Ｆ２を直接扱うことができる。この点からも、搬送物Ｃ１，Ｃ２の搬送性を確保することができる。
（２）そのほか、搬送物Ｃ１，Ｃ２には、パレットＰに対して縦方向および横方向の少なくとも何れかの方向に延出した状態のダンボール材１が載置されている。このように荷崩れしやすい不安定な状態のダンボール材１であっても、上記のカバー部材Ｆ１，Ｆ２によってダンボール材１の安定性を確保することができる。
【００８２】
［ＩＩ．変形例］
上述の実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
たとえば、ダンボール材が製函システム用の資材である場合には、意図的に形成された切れ込みやミシン目などの追加加工が折目に施されていないことが好ましく、ダンボール材におけるライナの表層に設けられる罫線を起点（たとえば罫線を内側）に１８０［°］折り返される箇所が折目であることが好ましい。一方、ダンボール材が製函システム用以外の資材である場合には、切れ込みやミシン目などの加工が折目に施されていてもよい。
【００８３】
シート継手部や原紙継手部は、ダンボール材に混在していてもよく、テープ部材や両面テープに代えてまたは加えて以下に例を挙げる構成Ｘ，Ｙ，Ｚが採用されてもよい。
・構成Ｘ：端縁どうしが粘着剤や接着剤で貼り合せられた構成，
・構成Ｙ：端縁どうしが圧着された構成
・構成Ｚ：ステープラで端縁どうしが継ぎ合わせられた構成
翻って、搬送物のダンボール材には、継手部が設けられていなくてもよい。
【００８４】
パレットには、上述のように本体部および上体部の設けられたパレットに限らず、いわゆる「両面式二方差しのパレット」や「単面式四方差のパレット」といったさまざまな公知のパレットを用いてもよい。
カバー部材には、ストレッチフィルムに限らず、公知のフィルムを用いることができる。更に言えば、フィルムに限らず、紙製，ゴム製あるいは金属製といったフィルム製以外のカバー部材を用いることができ、種々の材料を組み合わせた複合材料のカバー部材を用いてもよい。
【００８５】
そのほか、第一搬送物のカバー部材と第二搬送物のカバー部材とを併用してもよいし、
第一搬送物に用いられるような帯状のカバー部材でダンボール材の頂面部やこれに対向する底面部が被覆されていてもよい。
なお、分割構造で分割されたダンボール材の端縁は、少なくとも隣接あるいは対向して配置されていればよく、縦方向に限らず任意の方向に延在していてもよい。
あるいは、ダンボール材は、上述のようにパレットから延出するサイズに限らず、上面視でパレットと一致するサイズ（すなわちパレットの縦方向および横方向と同寸法）であってもよいし、上面視でパレットの領域に収まるサイズ（すなわちパレットの縦方向および横方向よりも小さい寸法）であってもよい。これらのようなサイズが採用された場合には、ダンボール材の安定性を高めることができ、搬送性の向上に資する。
【００８６】
［ＩＩＩ．付記］
以上の実施形態に関し、ダンボール材の継ぎ合わせに関する付記を項目［１］に開示し、搬送物に関する付記を項目［２］に開示する。
【００８７】
［１．ダンボール材］
〔付記１Ａ〕
連続するダンボールにおいて矩形状のシートが第一方向に沿って直線状に延在する折目のそれぞれにおいて前記折目の沿う平面で前記第一方向に直交する第二方向へ折り返され、前記第一方向および前記第二方向の双方に直交する第三方向に沿って前記シートが積み重ねられた蛇腹折りのダンボール材であって、
前記ダンボールを構成する少なくとも一部の資材どうしを前記ダンボールの連続する方向に継ぎ合わせて連続させる継手部と、
前記継手部の存在を識別させるマーキング部と、を備えた
ことを特徴とするダンボール材。
〔付記２Ａ〕
前記マーキング部は、前記継手部の存在を知覚させる色，図柄および質感の少なくとも一つが設定されたデザインを有する
ことを特徴とする付記１Ａに記載のダンボール材。
〔付記３Ａ〕
前記マーキング部は、前記継手部の存在を光学的に検知させる識別子を有する
ことを特徴とする付記１Ａまたは２Ａに記載のダンボール材。
〔付記４Ａ〕
前記マーキング部は、金属材料を含有した
ことを特徴とする付記１Ａ〜３Ａの何れか１項に記載のダンボール材。
〔付記５Ａ〕
前記第三方向の一側に設けられた複数の前記折目で前記一側に設けられた前記シートが連設された第一のダンボール材と前記第三方向の他側に設けられた複数の前記折目で前記他側に設けられた前記シートが連設された第二のダンボール材とに分割された状態で前記第一のダンボール材と前記第二のダンボール材とが不連続に設けられた分割構造を備え、
前記継手部は、前記第一のダンボール材において前記他側における第一の端縁と前記第二のダンボール材において前記一側における第二の端縁とを継ぎ合わせて前記分割構造で分割された状態の前記第一のダンボール材と前記第二のダンボール材とを連続させるシート継手部を有する
ことを特徴とする付記１Ａ〜４Ａの何れか１項に記載のダンボール材。
〔付記６Ａ〕
前記シート継手部は、前記第一の端縁と前記第二の端縁とに跨がって前記第一の端縁および前記第二の端縁に貼り付けられるテープ部材を有する
ことを特徴とする付記５Ａに記載のダンボール材。
〔付記７Ａ〕
前記シート継手部の表面は、前記シートの表面よりも大きな摩擦係数に設定された
ことを特徴とする付記５Ａまたは６Ａに記載のダンボール材。
〔付記８Ａ〕
前記継手部は、前記ダンボールを構成する原紙どうしを継ぎ合わせて連続させる原紙継手部を有する
ことを特徴とする付記１Ａ〜７Ａの何れか１項に記載のダンボール材。
〔付記９Ａ〕
前記原紙継手部は、前記原紙の一つであるライナどうしを継ぎ合わせて連続させるライナ継手部を有する
ことを特徴とする付記８Ａに記載のダンボール材。
〔付記１０Ａ〕
前記原紙継手部は、前記原紙の一つである中芯どうしを継ぎ合わせて連続させる中芯継手部を有する
ことを特徴とする付記８Ａまたは９Ａに記載のダンボール材。
〔付記１１Ａ〕
前記マーキング部は、少なくとも一部が前記第一方向の端部に露出する
ことを特徴とする付記１Ａ〜１０Ａの何れか１項に記載のダンボール材。
〔付記１２Ａ〕
前記マーキング部は、前記継手部に連設された状態で前記シートから延出するフラップ部を備えた
ことを特徴とする付記１Ａ〜１１Ａの何れか１項に記載のダンボール材。
〔付記１３Ａ〕
前記フラップ部は、前記継手部に対して取り外し自在に設けられた
ことを特徴とする付記１２Ａに記載のダンボール材。
〔付記１４Ａ〕
前記マーキング部は、前記折目に設けられた
ことを特徴とする付記１Ａ〜１３Ａの何れか１項に記載のダンボール材。
〔付記１５Ａ〕
前記継手部は、前記第二方向の中間部に配置され、前記継手部の設けられていない箇所の前記シートよりも大きい厚み寸法に設定された
ことを特徴とする付記１Ａ〜１４Ａの何れか１項に記載のダンボール材。
〔付記１６Ａ〕
前記継手部は、前記第三方向の位置が異なる複数の箇所に配置された
ことを特徴とする付記１Ａ〜１５Ａの何れか１項に記載のダンボール材。
【００８８】
［２．搬送物］
〔付記１Ｂ〕
連続するダンボールにおいて矩形状のシートが第一方向に沿って直線状に延在する折目のそれぞれにおいて前記折目の沿う平面で前記第一方向に直交する第二方向へ折り返され、前記第一方向および前記第二方向の双方に直交する第三方向に沿って前記シートが積み重ねられた蛇腹折りのダンボール材と、
前記ダンボール材の載置されたパレットと、
前記ダンボール材において前記第三方向に沿って面状に延在する筒面部を被覆するカバー部材と、を備えた
ことを特徴とする搬送物。
〔付記２Ｂ〕
前記カバー部材は、前記ダンボール材に対して前記第三方向に交差する方向に巻回された状態をなす
ことを特徴とする付記１Ｂに記載の搬送物。
〔付記３Ｂ〕
前記カバー部材は、少なくとも一部が重ね合わせられた状態をなす
ことを特徴とする付記１Ｂまたは２Ｂに記載の搬送物。
〔付記４Ｂ〕
前記カバー部材は、前記ダンボール材において前記パレットとは反対側で前記第一方向および前記第二方向に沿って面状に延在する頂面部を被覆する
ことを特徴とする付記１Ｂ〜３Ｂの何れか１項に記載の搬送物。
〔付記５Ｂ〕
前記カバー部材は、前記ダンボール材の前記筒面部および前記頂面部のそれぞれに対応する面状の部位が設けられた有底の四角筒状に予め形成されたガゼット体が前記ダンボール材に覆い被せられた状態をなす
ことを特徴とする付記４Ｂに記載の搬送物。
〔付記６Ｂ〕
前記カバー部材は、透明または半透明である
ことを特徴とする付記１Ｂ〜５Ｂの何れか１項に記載の搬送物。
〔付記７Ｂ〕
前記カバー部材は、ストレッチフィルムであり、前記ダンボール材に対して圧着した状態をなす
ことを特徴とする付記１Ｂ〜６Ｂの何れか１項に記載の搬送物。
〔付記８Ｂ〕
前記パレットは、前記第三方向と直交する方向に貫通する一対の空間が設けられた本体部に対して前記ダンボール材側に設けられた複数の突条どうしの間に前記第三方向と直交する方向に延在する一対の溝部が設けられた
ことを特徴とする付記１Ｂ〜７Ｂの何れか１項に記載の搬送物。
〔付記９Ｂ〕
前記ダンボール材の少なくとも一部は、前記第三方向と直交する方向に前記パレットから延出した状態に載置された
ことを特徴とする付記１Ｂ〜８Ｂの何れか１項に記載の搬送物。
【符号の説明】
【００８９】
１    ダンボール材
１１    第一のダンボール材
１２    第二のダンボール材
１Ｅ，２Ｅ    端縁
１Ｓ    筒面部
１Ｔ    頂面部
１０    段目（波目）
２    シート
２０    シート対
２１    第一シート
２２    第二シート
２３    第三シート
３    シート継手部（継手部）
４    原紙継手部（継手部）
４Ａ，４Ｂ    ライナ継手部
４Ｃ    中芯継手部
５    マーキング部
５ｆ    フラップ部
９    原紙（資材）
９ａ    表ライナ
９ｂ    裏ライナ
９ｃ    中芯
Ｃ１    第一搬送物（搬送物）
Ｃ２    第二搬送物（搬送物）
Ｄ    分割構造
Ｆ    折目
Ｆ１，Ｆ２    カバー部材
Ｌ１    縦寸法（第一寸法）
Ｌ２    横寸法（第二寸法）
Ｌ３    高さ寸法（第三寸法）
Ｐ    パレット
ＰＬ    本体部
ＰＵ    上部
Ｒ    突条
ＲＵ    上面
Ｓ    空間
Ｓ１    第一下部空間
Ｓ２    第二下部空間
Ｓ３    溝部
【要約】      （修正有）【課題】継手部の識別性を確保する。【解決手段】蛇腹折りのダンボール材１は、連続するダンボールにおいて矩形状のシート２が第一方向ＣＤに沿って直線状に延在する折目Ｆのそれぞれにおいて第二方向ＭＤへ折り返され、第三方向ＴＤに沿ってシート２が積み重ねられている。このダンボール材１は、ダンボールを構成する少なくとも一部の資材１１，１２どうしをダンボールの連続する方向に継ぎ合わせて連続させる継手部３と、継手部３の存在を識別させるマーキング部５と、を備えている。【選択図】図２【図１】
0006699793.tif 000004
【図２】
0006699793.tif 000005
【図３】
0006699793.tif 000006
【図４】
0006699793.tif 000007
【図５】
0006699793.tif 000008